(57)【特許請求の範囲】
【請求項１】
検査領域におけるターゲット物質を検出する検知装置であって、
ターゲット物質に露呈される検知表面を有する担体であって、前記検知表面が検査領域及び参照領域を有する、担体と、
入射光ビームを生成する光源であって、前記検査領域及び前記参照領域において前記入射光ビームが反射されて各領域からの反射光が生成される、光源と、
前記参照領域に位置する参照エレメントであって、内部全反射条件下で前記参照領域において反射される光が前記ターゲット物質の有無によって影響されないままであるように、前記参照領域を前記ターゲット物質からシールドする参照エレメントと、
前記参照領域及び前記検査領域の両方の反射光を比較し、前記参照領域からの反射光を考慮して前記検査領域からの反射光の情報を較正する較正器と、を有し、
前記参照エレメントは、前記参照領域に誘導されるエバネセント場が前記ターゲット物質の有無によって影響されないままであるような屈折率及び寸法を有する材料であり、
前記参照領域の前記検知表面は、前記検査領域における平行入射光ビームより浅い角度で前記参照領域に入射光ビームが入射することを可能にするように、前記検査領域の前記検知表面に対して相対的に傾けられており、又は前記参照領域が、入射光を反射するミラーを有する、検知装置。
【請求項２】
前記検査領域が、前記ターゲット物質に結合するためのバインダを含む、請求項１に記載の検知装置。
【請求項３】
前記検知装置は、１ｎＭより低い又はそれに等しい濃度の媒体中の物質の存在を解析する、請求項２に記載の検知装置。
【請求項４】
前記参照領域は、前記検査領域と隣り合っている、請求項１に記載の検知装置。
【請求項５】
前記検知装置は、前記検知表面を含む担体を有するカートリッジである、請求項１に記載の検知装置。
【請求項６】
前記光源は、入射光が前記検査領域及び前記参照領域において内部全反射条件下で反射されて、反射光を生成するように、前記検知表面の前記検査領域及び前記参照領域に入射光を向け、
前記検知装置が、前記反射光を検出して、前記検査領域からの反射光に依存する第１の特徴的な信号及び前記参照領域からの反射光に依存する第２の特徴的な信号を生成する検出器を有し、
前記較正器が、前記第２の特徴的な信号を考慮して、前記第１の特徴的な信号を較正する、請求項１に記載の検知装置。
【請求項７】
前記較正器は、前記第２の特徴的な信号を考慮して、前記第１の特徴的な信号のドリフトを補正し又は改善する、請求項６に記載の検知装置。
【請求項８】
前記検知装置が、前記ターゲット物質を検出するために解析装置と協働するように適応され、前記解析装置が、
前記検知装置を収容するための解析領域と、
前記反射光を検出して、前記検査領域からの反射光に依存する第１の特徴的な信号及び前記参照領域からの反射光に依存する第２の特徴的な信号を生成する検出器と、
を有し、
前記光源は、前記検知装置が前記解析領域に収容される場合、前記入射光が前記検知表面の前記検査領域及び前記参照領域に向けられ、前記入射光が前記検査領域及び前記参照領域において内部全反射条件下で反射されて、反射光を生成するように、前記解析領域に入射光を向け、
前記較正器が、前記第２の特徴的な信号を考慮して、前記第１の特徴的な信号を較正する、請求項１に記載の検知装置。
【請求項９】
ターゲット物質を検出する解析装置であって、ターゲット物質を検出するために検知装置を有し、
前記検知装置は、
検査領域及び参照領域を有する検知表面と、
前記参照領域に位置する参照エレメントであって、前記参照エレメントは、前記参照領域に誘導されるエバネセント場が前記ターゲット物質の有無によって影響されないままであるような屈折率及び寸法を有する材料であり、内部全反射条件下で前記参照領域において反射される光が前記ターゲット物質の有無によって影響されないままであるように、前記参照領域を前記ターゲット物質からシールドする参照エレメントと、を有し、
前記解析装置は、
前記検知装置を収容するための解析領域と、
前記検知装置が前記解析領域に収容される場合、入射光が前記検知表面の前記検査領域及び前記参照領域に向けられ、前記入射光が前記検査領域及び前記参照領域において内部全反射条件下で反射されて、反射光を生成するように、前記解析領域に前記入射光を向けるための光源と、
前記反射光を検出して、前記検査領域からの反射光に依存する第１の特徴的な信号及び前記参照領域からの反射光に依存する第２の特徴的な信号を生成する検出器と、
前記第２の特徴的な信号を考慮して、前記第１の特徴的な信号を較正する較正器と、
を有し、
前記参照領域の前記検知表面は、前記検査領域における平行入射光より浅い角度で前記参照領域に入射光が入射することを可能にするように、前記検査領域の前記検知表面に対して相対的に傾けられており、又は前記参照領域が、入射光を反射するミラーを有する、解析装置。
【請求項１０】
前記較正器は、前記第２の特徴的な信号を考慮して、前記第１の特徴的な信号のドリフトを補正し又は改善する、請求項９に記載の解析装置。
【請求項１１】
検査領域におけるターゲット物質を検出する検知方法であって、
検査領域及び参照領域を有する検知表面を準備するステップと、
前記参照領域に位置する参照エレメントを準備するステップであって、前記参照エレメントは、内部全反射条件下で前記参照領域において反射される光が前記ターゲット物質の有無によって影響されないままであるように、前記参照領域を前記ターゲット物質からシールドするように適応され、前記参照エレメントは、前記参照領域に誘導されるエバネセント場が前記ターゲット物質の有無によって影響されないままであるような屈折率及び寸法を有する材料である、ステップと、
前記検査領域及び前記参照領域を、入射光によって内部全反射条件下で照明するステップと、
前記検査領域及び前記参照領域において内部全反射条件下で反射された反射光を検出して、前記検査領域からの反射光に依存する第１の特徴的な信号及び前記参照領域からの反射光に依存する第２の特徴的な信号を生成するステップと、
前記第２の特徴的な信号を考慮して、前記第１の特徴的な信号を較正するステップと、
を含み、前記参照領域の前記検知表面は、前記検査領域における平行入射光より浅い角度で前記参照領域に入射光が入射することを可能にするように、前記検査領域の前記検知表面に対して相対的に傾けられており、又は前記参照領域が、入射光を反射するミラーを有する、方法。
【発明の詳細な説明】
【技術分野】
【０００１】
本発明は、検査領域のターゲット物質を検知するための検知装置及び解析装置に関する。本発明は、更に、検査領域のターゲット物質を検知するための対応する検知方法に関する。
【背景技術】
【０００２】
米国特許第７，３１７，５３４Ｂ２号明細書は、ターゲット分子がその表面に固定される検出エリアと、リガンドがその表面に固定されない参照エリアとをもつフィルム層を有する測定ユニットを備える測定方法を提供している。フォト検出器は、検出エリア及び参照エリアにおいてそれぞれ内部全反射で反射された光ビームの強度を検出する。更に、検出エリアの測定の結果が、参照エリアの測定の結果に基づいて較正される。
【０００３】
米国特許出願公開第２００５／００５２６５５Ａ１号明細書は、表面プラズモンに関する２次元環境として作用することが可能なフィルムを有する測定エリア及び隣接する参照エリアを搭載するように動作時に適応される光学本体と、表面プラズモン共鳴を生成することができる放射線によって参照及び測定エリアを照射する光ビーム生成手段と、参照及び測定エリアから反射される放射線を組み合わせるための光学手段と、組み合わせられた放射線ビームの２次元画像を表わすデータを生成するピクセル化された検出手段と、を有する干渉計を記述している。
【発明の概要】
【発明が解決しようとする課題】
【０００４】
しかしながら、多くの場合、参照エリアが、いかなるターゲット分子ももたないままであること、又は他のやり方で媒体中のターゲット分子の存在によって影響されないままであること、を確実にすることは困難である。特に、ビーズを利用するターゲット分子検出システムを用いる場合、いかなるこのようなビーズも非特異的に参照エリアと接触せず、参照エリアから検出される信号に影響を与えないことを確実にすることは困難である。従って、参照エリアが、較正の間、ターゲット分子をもたないままでいることを確実にする方策が提供されなければならないが、これは、較正プロシージャを非常に複雑にする。
【０００５】
本発明の目的は、より容易な較正を可能にする、検査領域のターゲット物質を検出するための検知装置及び解析装置を提供することである。本発明の他の目的は、対応する検知方法を提供することである。
【課題を解決するための手段】
【０００６】
本発明の１つの見地において、検査領域のターゲット物質を検出する検知装置であって、
−検査領域及び参照領域をその上に有する検知表面と、
−参照領域に位置する参照エレメントであって、内部全反射条件下で参照領域において反射される光が、物質の有無によって影響されないままであるように、参照領域を物質からシールドするように適応される参照エレメントと、
を有する検知装置が提供される。
【０００７】
本発明は、内部全反射条件下で検査領域から反射された光を検出することによって取得される検査領域の物質の存在に対応する信号が、内部全反射条件下の標準反射光に対応する信号によって、較正されることができるという考えに基づく。従って、検査領域に潜在的に存在する物質の影響から参照領域を効果的にシールドする参照エレメントが、標準化された形式で、すなわち解析されるべき物質の有無に関係なく、参照領域において反射された光の特性、一般には強度、を測定することを可能にする。こうして、参照領域において反射された光は、実質的に、物質の有無以外のファクタの関数にすぎず、従って、例えば温度の増加又は参照領域に到達する光出力の揺らぎのような、測定誤差によるエラーを反映する。
【０００８】
本発明の中で、一般にはその強度である光の選択された特性が、物質の有無によって、１０％以上、好適には１％以下、最も好適には０．１％以下、変化されない場合、内部全反射条件下で参照領域において反射された光は、物質の有無によって影響されないものとして考えられる。０．０５乃至０．３％のレンジが特に好ましい。
【０００９】
更に好適には、参照エレメントは、解析されるべき物質からだけでなく、参照領域に存在するエバネセント場に影響を与える可能性がある他の物質に対しても、参照領域をシールドする。これは、有利には、媒体の呈色が内部全反射条件下で参照領域において反射される光と干渉しないので、着色された媒体中の物質の存在を解析することを可能にする。こうして、着色された媒体の場合であっても、参照領域は、信頼できる標準として役立つことができる。本発明の方法及び本発明の検知装置は、例えば光吸収及び光学密度の測定のような、送信された光の測定を含む解析方法を補足するためにも有利に使用されることができる。従って、参照エレメントは、媒体によって洗い流されることに対して耐性がある好適には固体、ゲル様のもの、又は他のものあることが望ましい。
【００１０】
「内部全反射」という語は、多くの場合、入射光の一部が反射プロセス中に失われる「漏れ内部全反射（frustrated total internal reflection）」と多くの場合称されるケースを含むことに注意すべきである。検査領域からくる反射光ビームは、一般に、検知表面の検査領域において内部全反射された入射光ビームからなり又はそれを含み、かかる検知表面は、ターゲット物質と結合するための結合表面でありうる。しかしながら、それは、検査領域において刺激された蛍光のような他のソースからの光を含むこともありうる。
【００１１】
参照エレメントの屈折率及び寸法は、好適には、寸法がそこに誘導されるエバネセント場の指数減衰長を越えるように、すなわちエバネセント場が、実質的に参照エレメントの外に位置せず、参照エレメントが位置する担体の外に位置しないように、選択される。参照エレメントの厚さ及び横方向寸法は、参照エレメント内部で内部全反射条件下で生成されるエバネセント場が、光の選ばれた波長及び入射角に関して実質的に減衰されるようなやり方で、選択される。指数減衰長ζは、
0005701778.tif 000002
のように与えられる。
【００１２】
上式で、λ及びθは、それぞれ、使用される光の波長及び入射角であり、ｎ１及びｎ２は、それぞれ、光がその中を進む材料の屈折率及び参照エレメントの屈折率である。角度θｃｒｉｔは臨界角を規定する。従って、当業者であれば、その中を進む光線に関して、予め選択された波長、入射角及び材料について参照エレメントを製造するのに適切な材料を選択することができる。
【００１３】
参照エレメントの横方向形状は、任意に選択されることができ、こうして、本装置が、多くの付加的条件にあわせて適応されることを可能にする。好適には、参照エレメントは、少なくとも２００ｎｍ、より好適には５００ｎｍ−１ｍｍ、最も好適には５００ｎｍ−１００μｍ、の厚さを有するフィルム又は層である。このようなエレメントは、有利には、媒体の微小な量を解析することを可能にするマイクロセンサに含められることができる。
【００１４】
他の好適な検知装置において、検査領域は、ターゲットと結合するためのバインダを有する。ターゲットは、それ自身の上のエバネセント場に影響を与えうるターゲット物質でありうる。しかしながら、濃度が決定されることができる物質が、その検出のためにエバネセント場に影響を与えるための標識−以下「アナライト」と称される−を必要とする場合、ターゲットは、このような標識である。一般に、ターゲットは、好適には媒体中に更に含まれることが期待される他の物質からみてアナライトにとって特異的なアタッチメントによって、アナライトにアタッチするための結合セクションを含む、好適には磁気ビーズのような物質である。結合セクションは、アナライト及びターゲット物質の残りのものに共有結合され、又は非共有結合されることができる。好適には、ターゲットは、アナライトの同じ又は別のセクションでアナライトに結合することができる１、２、３又はより多くの抗体、又はＦ（ａｂ'）２フラグメントを含むそのＦａｂフラグメントを含む。
【００１５】
検査領域のバインダの典型的な例は、抗体又はＦ（ａｂ'）２フラグメントを含むそのＦａｂフラグメントである。このようなバインダは、非常に多様なターゲット分子及びその抗原について生成されることができ、適用可能な場合は検知表面の検査領域において、ターゲット及び／又はアナライトの特異的結合を可能にする。従って、検査領域においてこれらのターゲット／アナライトを選択的に豊富にすることが可能である。更に、望ましくないターゲットは、所望のターゲット分子とバインダとの間の結合を実質的に壊すべきでない適切な反発力（例えば磁気又は流体力学的な力）によって、検査領域から除去されることができる。ターゲットの結合は、検査領域に誘導されるエバネセント場に影響を与えることができ、ゆえに、内部全反射条件下でそこから反射される光の強度に影響を与えることができる。更に、他の物質が付加されることにより、検査領域において結合されたターゲットによってそれに誘導されるエバネセント場に対して及ぼされる影響を強化することができる。更に、検査領域は、１、２又はそれ以上のタイプのバインダを含むことができる。それらのタイプのバインダは、異なるターゲット分子にとって、１又は複数のターゲット分子の異なるセクション及び抗原にとって、特異的でありうる。こうして、本発明の検知表面は、さまざまな異なる種類のバイオセンサ及び測定方法に適する。
【００１６】
媒体中のアナライトの濃度を決定するための別のタイプのアッセイは、競合結合アッセイでありうる。このようなアッセイにおいて、アナライト濃度の定量化は、バインダ及び／又はターゲット又はその個々の結合セクションによって結合するためのアナライトとアナライト様の物質との間の競合の結果として、個々の検査領域におけるターゲットの有無を解析することによって、達成されることができる。
【００１７】
本発明の検知装置は、好適には、１ｎｍ以下、より好適には１乃至１０００ｐＭ、最も好適には１０乃至１０００ｆＭ、の濃度の媒体中の物質（すなわちターゲット又は適用可能な場合はアナライト）の存在を解析するように適応されている。このような低い濃度は、一般に、長い測定時間を必要とし、更に、媒体から取得される信号が小さい。一般的な光学センサ装置によって生成される信号は、アッセイ組成の変化なしに、時間を通じてドリフトしうる。例えば、光源の光出力は、例えば環境の又はバイオセンサ装置内の温度変化により、変化しうる。ドリフトは、検査領域において結合されるターゲット分子の実際の量と比較して、取得される信号の重大な偏りをもたらすことがありうる。従って、検出器によって取得される検査領域からの信号の較正が、重要な結果を取得するために必要である。本発明の特に価値ある利点は、参照領域及びそこで反射された光に基づいてこのような較正を可能にすることにより、上述した低い濃度での物質の有無を信頼性をもって解析することを可能にすることである。これは特に、例えば、１ｐＭ以下の検出限界を必要とする、血液のような生理学的サンプル中の心臓トロポニンＩ、上皮小体ホルモン（ＰＴＨ）及びＢＮＰ（脳性ナトリウム利尿ペプチド）のような物質の存在を測定する場合に有利である。
【００１８】
好適な検知装置において、参照領域の検知表面は、検査領域の平行な入射光ビームの角度よりも浅い角度で参照領域に入射光ビームが入射することを可能にするために、検査領域の検知表面に対して相対的に傾けられる。検知表面と参照エレメントとのインタフェースにおいて内部全反射条件を達成するために、参照エレメント材料の屈折率は、反射光がその中を進む材料の所与の屈折率に対して十分に低く選択されなければならない。従って、幾つかの材料に関して、適切な参照エレメント材料を見つけることは困難である。参照領域の表面をわずかに傾けることによって、検査エリアより浅い入射角を参照エレメントにおいて達成することが可能であり、ゆえに、相対的により高い屈折率を有する参照エレメント材料を使用することを可能にする。
【００１９】
他の好適な検知装置において、参照領域は、好適には、検査領域と隣接する。このようにして、例えば担体材料組成のわずかなバリエーションによる、内部全反射条件下で反射された光の強度測定の誤差が、最小限にされることができる。本発明の中で、参照領域は、それが検査領域から、好適には上述したようにバインダをそれにアタッチさせる検査領域から、多くとも５ｍｍ、より好適には０．５乃至１ｍｍ、最も好適には０．１乃至０．５ｍｍ、隔てられている場合、隣り合っていると考えられる。
【００２０】
参照エレメントの材料は、それが光の予め選択された波長及び入射角に関して参照領域における内部全反射を可能にし、上述したように参照領域を十分にシールドする限り、任意に選択されることができる。好適には、参照エレメントは固体であり、より好適には、参照エレメントはフィルムである。本発明の中で、ガラスが、考えられる固体である。参照エレメントの他の好適な材料は、ポリマ、特にタンパク質、核酸及び多糖類のような生体分子、ゲル、ゾルゲル及び他のプラスチックから選択される。
【００２１】
例えばインクジェット印刷のような簡素なやり方で堆積されることができる材料を選択することが好ましい。ＵＶ硬化されることができる又は高速の、信頼できる、自動化された重合のための他の適当手段によって重合されることができる多くのポリマが、利用可能である。
【００２２】
更に、参照領域が、入射光を反射するためのミラーを有することが好ましい。真のミラーと称されるこのようなミラーは、誘電多層又は金属コーティングの形で適用されることができ、特に、十分に低い屈折率を有する参照エレメント材料を見つけることが困難である条件において参照エレメントとして適切である。
【００２３】
検知装置の多くの実際に重要な実施形態において、検知表面は、それぞれ異なる入射光ビームが内部全反射されることができる２又はそれ以上の検査領域を含む。１つの装置が、幾つかの検査領域の処理を可能にし、ゆえに、例えば異なるターゲット物質についてのサーチ、それぞれ異なる条件下での同じターゲット物質の観察、及び／又は統計的な目的での幾つかの測定値のサンプリング、を可能にする。「異なる入射光ビーム」は、任意には１つの光源によって均一に生成される１つの幅広の光ビームの成分でありえ、それらは、（任意には同じ又は異なる光学ウィンドウを通じて）同時に検査領域及び／又は参照領域に入る個々の別個の光ビームでありえ、及び／又はそれらは、時間的に異なりうる（すなわち、検査領域をスキャンする１つの一般的な光ビームによって生成されることができる）。好適には、「異なる入射光ビーム」は、１、２又はそれ以上の参照領域及び１、２又はそれ以上の検査領域を同時に照射する１つの幅広の光ビームの一部である。検出器は、後に詳しく述べるように、個々の領域から別々に反射された光を測定することができる。
【００２４】
検知装置は、好適には、検知表面をその上に有する担体を有するカートリッジである。このようなカートリッジは、解析装置と共に有利に使用されることができ、解析装置を特定の測定作業に適応させることができる。
【００２５】
原則的に、担体がそれぞれ異なる材料の複数の成分を有する特化した構造を有する場合、担体は、透明な材料から、例えばガラス又は透明プラスチックから、均質に製造されることが好ましい。従って、担体は、例えば射出成形によって、容易に生成されることができる。
【００２６】
カートリッジは、バイオセンサ装置及び方法を含む多くの異なる装置と組み合わされた使用されることができる。検査プロシージャの実際に重要なアプリケーションの場合、カートリッジは、好適には、第１及び第２の光学ウィンドウを有し、それによって、入射光ビームは、第１の光学ウィンドウを通って担体に入射することができ、それは検知表面の検査領域及び／又は参照領域において内部全反射され、検査領域及び／又は参照領域からくる反射光ビームが、第２の光学ウィンドウを通って担体を出ることができる。
【００２７】
本発明の検知装置は、好適には、
−入射光が検査領域及び参照領域において内部全反射条件下で反射され、反射光を生成するように、検知表面の検査領域及び参照領域に入射光を向けるための光源と、
−反射光を検出して、検査領域における反射に依存する第１の特徴的な信号と、参照領域における反射に依存する第２の特徴的な信号とを生成する検出器と、
−第２の特徴的な信号を考慮して、第１の特徴的な信号を較正する較正器と、
を有する。
【００２８】
このような装置は、本発明の利点を使用するものであり、すなわち、検知装置は、第２の特徴的な信号を考慮して第１の特徴的な信号を較正することを可能にする。こうして、検知装置は、特に、信頼性の高い重要な測定を容易にし、測定誤差を制限し、（より）長い測定時間を可能にすることによって低い濃度で（複数の）検査領域のターゲット物質を検出することを可能にする。
【００２９】
このような装置の実際的な実施形態において、較正器は、好適には、第２の特徴的な信号を考慮して第１の特徴的な信号のドリフトを補正する又は改善するように適応される。このような装置の利点は、特に、ドリフトの重大な影響なく特に長い測定時間が達成されることができ、それゆえ、検査領域において、又はノイズが多い媒体バックグラウンドに対して、低い濃度のターゲット物質を検出することを容易にし又は検出することを可能にすることである。
【００３０】
好適な実施形態において、検知装置は、ターゲット物質を検出するために解析装置と協働するように適応され、解析装置は、
−検知装置を収容するための解析領域と、
−検知装置が解析領域に収容される場合、入射光が検知表面の検査領域及び参照領域に向けられ、入射光が、検査領域及び参照領域において内部全反射条件下で反射されて、反射光を生成するように、解析領域に入射光を向けるための光源と、
−反射光を検出して、検査領域の反射に依存する第１の特徴的な信号及び参照領域の反射に依存する第２の特徴的な信号を生成する検出器と、
−第２の特徴的な信号を考慮して、第１の特徴的な信号を較正する較正器と、
を有する。
【００３１】
本発明の他の見地において、ターゲット物質を検出するための解析装置であって、ターゲット物質を検出するために検知装置と協働するように適応され、検知装置が、
−検査領域及び参照領域をその上に有する検知表面と、
−参照領域に位置する参照エレメントであって、内部全反射条件下で参照領域において反射される光が、ターゲット物質の有無によって影響されないままであるように、参照領域をターゲット物質からシールドするように適応される参照エレメントと、
を有し、解析装置が、
−検知装置を収容するための解析領域と、
−検知装置が解析領域に収容される場合、入射光が検知表面の検査領域及び参照領域に向けられ、入射光が、検査領域及び参照領域において内部全反射条件下で反射されて、反射光を生成するように、解析領域に入射光を向けるための光源と、
−反射光を検出して、検査領域の反射に依存する第１の特徴的な信号及び参照領域の反射に依存する第２の特徴的な信号を生成する検出器と、
−第２の特徴的な信号を考慮して、第１の特徴的な信号を較正する較正器と、
を有する解析装置が提供される。
【００３２】
このような解析装置は、本発明の検知装置に、特にカートリッジに、有利に適応され、検査領域から取得される特徴的な信号を較正するために参照領域を使用する。特徴的な信号は、好適には光強度信号である。検知装置は、好適にはバイオセンサである。
【００３３】
再び、較正器は、好適には、検知装置、特にカートリッジ、の検査領域からくる光の第１の特徴的な信号のドリフトを、検知装置の参照領域からくる光の第２の特徴的な信号を考慮して補正する又は改善するように適応される。
【００３４】
こうして、解析装置は、検査領域における光強度測定値の測定誤差を低減することを可能にする。従って、誤った光強度ドリフトによって、前記検査領域から取得される第１の特徴的な信号を著しく損なうことなく、長い時間期間にわたって検査領域から反射される光を解析することが可能である。従って、このような解析装置は、一般に検査領域の長い照射時間を必要とする非常に低い濃度での、検査領域における物質の検出を容易にする。
【００３５】
本発明の更に別の見地により、検査領域のターゲット物質を検出する検知方法であって、
−検査領域及び参照領域をその上に有する検知表面を準備するステップと、
−参照領域に位置する参照エレメントを準備するステップであって、参照エレメントは、内部全反射条件下で参照領域において反射される光が、ターゲット物質の有無によって影響されないままであるように、参照領域をターゲット物質からシールドするように適応される、ステップと、
−内部全反射条件下で検査領域及び参照領域を照明するステップと、
を含む方法が提供される。
【００３６】
検知方法は更に、
ａ）本発明の検知装置の検査領域を光で照射し、そこから内部全反射された光の第１の特徴的な信号を取得するステップと、
ｂ）ステップａ）の前、その間又はその後、本発明の検知装置の参照領域を光で照射し、そこから内部全反射された光の第２の特徴的な信号を取得するステップと、
ｃ）ステップｂ）において取得された第２の特徴的な信号によって、ステップａ）において取得された第１の特徴的な信号を較正するステップと、
を含む。
【００３７】
検知方法は、検査領域におけるターゲット物質の存在を検出することを可能にし、更に、検査領域の別の特性をも決定することを可能にし、例えば、検査領域において内部全反射条件下で反射された光の強度に対するサーモクロミック物質の影響を解析することによって温度を判定することを可能にする。
【００３８】
好適には、ステップａ）及びｃ）、ステップｂ）及びｃ）、又はステップａ）、ｂ）及びｃ）が反復される。このような反復は、１つの検査領域について、検査領域において結合するターゲット物質の時間分解解析を可能にするために実施されることができる。ステップは更に、それらを異なる検査領域に逐次的に適用することによって、繰り返されることができ、それにより、それぞれ異なる検査領域において結合される（複数の）ターゲット物質の量を判定することを可能にする。
【００３９】
特に、少なくとも１つの参照領域及び１つの検査領域についてステップａ）及びｂ）を同時に実施することが少なくとも好ましい。このようにして、較正は、非常に低い測定誤差によって実施されることができる。
【００４０】
更に、
ｉ）本発明の解析装置を準備するステップと、
ｉｉ）前記解析装置の解析領域に本発明の検知装置、好適にはカートリッジ、を準備するステップと、
ｉｉｉ）前記検知装置の検査領域においてターゲット物質を結合させるステップと、
ｉｖ）上述した測定方法のステップａ）、ｂ）及びｃ）を実施するステップと、
を含む検知方法が好ましい。
【００４１】
このような方法は、本発明の利点を利用するとともに、特に、上述したように検査領域における非常に低い濃度のターゲット物質の解析を可能にする。
【００４２】
請求項１に記載の検知装置、請求項１２に記載の解析装置及び請求項１４に記載の検知方法は、従属請求項に規定されるのと同様の及び／又は同一の好適な実施形態を有することが理解されるべきである。更に、本発明の好適な実施形態は、個々の独立請求項と従属請求項の任意の組み合わせであってもよいことが理解されるべきである。
【図面の簡単な説明】
【００４３】
【図１】検知装置の一実施形態を概略的及び例示的に示す側面図。
【図２】補正されていない検出信号の信号ドリフトを概略的及び例示的に示すグラフ。
【図３】内部全反射条件下で反射される光を概略的及び例示的に示す側面図。
【図４】検知装置の一実施形態を概略的及び例示的に示す上面図。
【図５】図４の検知装置の実施形態を概略的及び例示的に示す側面図。
【図６】検知装置の一実施形態を概略的及び例示的に示す上面図。
【図７】図６の検知装置の実施形態を概略的及び例示的に示す側面図。
【図８】検出信号及び参照信号を概略的及び例示的に示すグラフ。
【図９】検知装置の一実施形態を概略的及び例示的に示す側面図。
【図１０】図９の検知装置の実施形態を概略的及び例示的に示す上面図。
【図１１】検知装置の一実施形態を概略的及び例示的に示す側面図。
【図１２】解析装置の一実施形態を概略的及び例示的に示す側面図。
【図１３】検知装置の検査領域に結合される磁性粒子を概略的及び例示的に示す図。
【図１４】本発明の方法を概略的及び例示的に示す図。
【発明を実施するための形態】
【００４４】
図１は、本発明の検知装置１００の一実施形態の側面図を概略的及び例示的に示している。装置１００は、入射光ビームＬ１にとってトランスペアレントな材料で作られた担体１１０を有する。担体１１０は、検知表面１１２を有する。例えば媒体４が検知表面１１２に加えられることを可能にするように、検知表面１１２には、流体デリミタ１０１が位置付けられる。検知表面１１２の或るエリアは、媒体４中の任意のターゲット物質（２）から、検知表面１１２の参照領域１２０をシールドするために、参照エレメント１２１によってカバーされる。参照領域１２０の近傍には、検知表面１１２の検査領域１１３がある。検査領域１１３は、ターゲット物質２と直接的又は間接的に結合するためのバインダ１１４を含むことができる。
【００４５】
参照領域１２０及び検査領域１１３は、入射光（入射光ビームＬ１として示される）によって照明されることができる。入射光Ｌ１は、参照領域１２０において内部全反射条件下で反射されて、出射光Ｌ２を生成する。参照エレメント１２１は、参照領域１２０における内部全反射によって誘導されるエバネセント場が、ターゲット物質２の有無によって影響されないままであるような屈折率及び寸法を有する。従って、参照領域１２０の出射光ビームＬ２の強度は、媒体４中のターゲット物質２の有無に依存せず、好適には、媒体４中の他の物質の有無にも依存しない。参照領域１２０の出射光ビームＬ２は、標準光ビームの役目を果たすことができ、その強度は、検出器１８において（第２の）特徴的な信号２２０として使用されることができる。
【００４６】
入射光Ｌ１は更に、検査領域１１３において内部全反射条件下で反射されて、他の出射光Ｌ２を生成する。しかしながら、検査領域１１３に誘導されるエバネセント場は、媒体４のターゲット物質２の影響を受け、好適には、唯一に又は主にターゲット物質２の影響を受ける。このような他の出射光の強度は、検査領域１１３におけるターゲット物質２の有無と相関し、検出器１８において（第１の）特徴的な信号２１３の役目を果たすことができる。
【００４７】
較正器２０は、参照領域１２０及び検査領域１１３の両方の出射光Ｌ２を比較する。このような比較によって、内部全反射条件下で検査領域１１３において反射された光の強度に対するターゲット物質２の影響が、判定されることができる。比較は、参照領域１２０及び検査領域１１３の出射光Ｌ２の強度の同時又は逐次的に迅速な測定によって、入射光Ｌ１強度のバリエーションにほとんど関係なく行われることができるので、比較のこのモードは、測定誤差のいかなる他のソースをも低減し又は除去する。更に、第１及び第２の特徴的な信号２１３及び２２０は共に、単一の検出器１８においてそれぞれ測定されることができ、それゆえ測定誤差を更に低減する。従って、較正器２０は、第２の特徴的な信号２２０を考慮して第１の特徴的な信号２１３のドリフトを効果的に補正し又は改善する。
【００４８】
参照エレメント１２１を生成するために、ＵＶ硬化可能な低屈折率のアクリレート（２，２，３，３，４，４，５，５−オクタフルオロ−ヘキサンジオール−１，６−ジメタクリレート）の小滴が、ポリスチレンカートリッジの検知表面１１２に適用されることができる。こうして、窒素条件下での硬化後、参照領域１２０においてｎ２＜１．４２を有する参照エレメント１２１が得られることができる。このような参照エレメント１２１に関して、検知表面１１２の隣接する検査領域１１３が、黒色マーカペンによって黒くされた場合、内部全反射条件下（入射角θｉ：７０°）で反射された光（Ｌ２）の強度は、検査領域１１３において著しく低下することが分かった。しかしながら、参照エレメント１２１が、黒色マーカペンインクによって更にカバーされたとしても、内部全反射条件下で反射された光（入射角θｉ：７０°）の強度は、図８に示されるように、参照領域１２０において著しく低下しなかった。
【００４９】
硬化されたアクリレートの屈折率ｎ２は、なおかなり高い。上述した特別な実験条件下で、入射ビームは、完全に平行ではなく、入射光の一部は７０°より小さい角度を有していた。これは、入射光ビームの小さい割合が参照エレメント１２１を通り抜け、黒色マーカインクの影響を受けて、反射光の強度を低減させることを意味する。
【００５０】
これは、参照エレメント１２１上の屈折率を更に低減することによって、及び／又は入射角を増大することによって、及び／又はカートリッジ材料の屈折率を増大することによって、及び／又は到来照明ビームのコリメーションを改善することによって、解決されることができる。ポリマの代わりに、例えば生体分子（特にタンパク質、核酸、多糖）、ゲル、ゾルゲル又は他のプラスチックのような他の低い屈折率の材料が、適切でありうる。これらの異なる参照エレメント１２１が検知表面１１２に適用されるやり方は、参照エレメント１２１、検知表面１１２及びカートリッジ材料の性質に依存する。例えば、生体分子の場合、それらを共有結合によりカートリッジ検知表面１１２にアタッチする必要がありうる。
【００５１】
図２は、補正されていない検出信号の信号ドリフトのグラフを概略的及び例示的に示している。ｘ軸は、分で与えられる測定時間ｔに関し、ｙ軸は、図１のタイプの検知装置１００の検査領域１１３の光の第１の特徴的な信号２１３のバリエーション（パーセンテージとして与えられる）に関する。図２の測定の間、いかなる物質も検査領域１１３に加えられなかった。グラフは、１０分の測定時間の後、第１の特徴的な信号２１３が０．１％ドリフトしたことを示している。このドリフトは、検査領域１１３への物質の付加によって引き起こされたものではないので、ドリフトは、測定誤差と考えられなければならない。任意の特定の理論に拘束されることなく、このようなドリフトは、特に装置における温度変化による、ＬＥＤのような光源１１の強度及びＣＭＯＳセンサのようなセンサの感度の不定のバリエーションから生じると考えられる。このような測定誤差は、例えば血液のような媒体４中のトロポニンＩ濃度の決定のように、高い検出感度及び精度を必要とする解析作業において許容されることができない。このような解析作業は、１ｐＭより小さい検出限界を要求することがあり、これは、非常に低い信号ドリフトとともに長い測定時間を必要とする。図１の装置は、これらの解析作業を信頼性をもって達成することを可能にする。
【００５２】
図３は、内部全反射条件下で反射された光の側面図を概略的及び例示的に示しており、内部全反射の原理を示している。入射光ビームＬ１は、第１の屈折率ｎ１を有する媒体４中を進む。光ビームＬ１は、第２の屈折率ｎ２を有する別の媒体４に対する表面に到達する。光ビームＬ１は、入射角θｉが臨界角θｃｒｉｔより大きい場合、内部全反射条件下で反射されて、光ビームＬ２を形成する。ここで、Ｓｎｅｌｌ法により、θｃｒｉｔ＝ｓｉｎ−１（ｎ２／ｎ１）である。
【００５３】
例えば、バイオセンサカートリッジの製造に有用な材料は、ポリスチレンである。ポリスチレン材料の場合、ｎ１は１．５５である。更に、ポリスチレン／水様のセンサインタフェースを有するバイオセンサ装置に有用であるような７０°の入射角θｉを選択する場合、第２の媒体４は、ｎ２＜１．４５であるように選択されるべきである。内部全反射が両方の媒体間の表面で発生するように、θｃｒｉｔは、６９．１°である。
【００５４】
入射角には角度分布があることが多く、例えばＬＥＤは完全に平行のビームを生成しないことがあるので、好適な検知装置において、ｎ２に関して幾らかのマージンが含まれる。２°の角度マージンを有するように、ｎ２は、１．４１９をより小さく選ばれるべきである。
【００５５】
図４及び図５は、検知装置１００の上面図及び側面図を概略的及び例示的に示している。検知装置１００は、第１の屈折率ｎ１をもつカートリッジ１１０を有する。カートリッジ１１０は、検知表面１１２を有する。検知表面１１２上には、参照エレメント１２１が、検知表面１１２の参照エリア１２０をシールドするように位置付けられる。参照エリア１２０には、検知表面１１２の検査領域１１３が隣接する。検査領域１１３は、参照エレメント１２１を含まない。図５において、検査領域１１３は、参照エレメント１２１によって隠されている。
【００５６】
検査領域１１３及び参照領域１２０の両方が、ＬＥＤ光源１１の入射光ビームＬ１によって照明されることができる。光源１１は更に、レーザダイオード、スーパールミネセントダイオード（ＳＬＥＤ）又は別の光源１１であってもよい。入射光ビームＬ１は、参照領域１２０において及びターゲット物質（２）がない場合に更に検査領域１１３において、内部全反射条件下で反射されて、光ビームＬ２を形成する。光ビームＬ２は、参照領域１２０及び検査領域１１３においてそれぞれ反射された光の強度を決定するために、検出器１８において検出される。較正器２０は、図１に関する議論において詳述されるように、及び更に図１２に関する議論において詳述されるように、参照領域１２０及び検査領域１１３の両方の出射光Ｌ２を比較する。
【００５７】
図６及び図７は、検知装置１００の一実施形態の上面図及び側面図をそれぞれ概略的及び例示的に示している。検知装置１００は、担体１１０を含む。担体１１０は、検知表面１１２を有する。検知表面１１２上には、流体デリミタ１０１が、好適には液体媒体４が検知表面１１２に加えられることを可能にするように位置付けられる。流体デリミタ１０１は、流体チャネルシステムを形成する開口を有し、流体チャネルシステムは、流体受け入れ開口１１２、測定チャンバに至るチャネル、参照チャンバから離れるチャネル、及びベント開口１１９を有する。測定チャンバは、検知表面１１２の検査領域１１３を含む。２つの参照領域１２０は、測定チャンバに隣接しており、各々の参照領域は、担体１１０における入射光の内部全反射を可能にするような固体の参照エレメントを有する。
【００５８】
使用時、検査領域１１３及び参照領域１２０の一方又は両方は、図１に表される態様で、入射光ビーム（図示せず）によって照射される。光は、（複数の）参照領域１２０及び／又は検査領域１１３において内部全反射条件下で反射される。好適には液体である流体媒体４が、流体受け入れ開口１１２を介して検知装置１００に加えられる。測定チャンバ及びそれにつながるチャネルに含まれる空気は、ベント開口１１９を介して排出される。媒体４は、測定チャンバに導かれる。測定チャンバにおいて、ターゲット物質２は、内部全反射条件下で検知表面１１２の検査領域１１３において反射される光の強度に影響を与えることができる。
【００５９】
検査領域１１３及び（複数の）参照領域１２０において内部全反射条件下で反射された光の強度は、検出器１８によって検出される。較正器２０は、図１に関して記述された態様で、（複数の）参照領域１２０及び検査領域１１３の両方の出射光を比較する。
【００６０】
図８は、図６及び図７の装置の検出信号及び参照信号のグラフを概略的及び例示的に示している。正規化された信号強度ｓｎが、グラフ化されている。分かるように、検知表面１１２の参照領域１２０において反射された光から取得された特徴的な信号２２０は、信号強度のドリフトを示す。信号強度のこの検出されたドリフトは、検知表面１１２の検査領域１１３において反射される光から取得される特徴的な信号２１３を補正し較正するために、使用されることができる。
【００６１】
図９及び図１０は、検知装置１００の他の実施形態の側面図及び上面図をそれぞれ概略的及び例示的に示している。装置１００は、検知表面１１２をその上に有する担体１１０を有する。検知表面１１２は、その中に低くなった一連の参照領域１２０を形成するために、一連の凹部を有する。凹部は、例えば焦点イオンビームミリング又はパルスレーザアブレーションを使用することによって、表面パターニングによって、形成されることができる。図１に関して記述されたように、検査領域１１３は、参照エリア１２０に隣り合っている。
【００６２】
使用時、液体媒体４が、担体１１０の検知表面１１２上を通過する。説明の目的で、媒体４の一液滴のみが、図９及び図１０に示されている。媒体４は、その表面張力のため参照領域１２０の凹部に入ることができず、それにより、媒体液滴４と参照領域１２０との間に空気をトラップする。空気は、図１に関して記述されたような参照エレメント１２１として機能する。
【００６３】
更に、例えば空気の気泡が予め規定されたエリアに、好適には流体チャネル内部又はその近傍に、トラップされるようにするために、図６及び図７に示されるタイプの装置の上部流体部分に対する変更がなされることもできる。このようなトラップされた空気の気泡は、図１に関して記述されたような参照エレメント１２１として機能する。
【００６４】
図１１は、検知装置１００の他の実施形態の側面図を概略的及び例示的に示している。装置は、検知表面１１２がその上に形成された担体１１０を有する。検知表面１１２は、図１に記述されるような検査領域１１３及び参照領域１２０を有する。参照領域１２０の検知表面１１２は、検査領域１１３の検知表面１１２に対して角度β傾けられている。従って、検査領域１１３及び参照領域１２０の両方に到達する平行入射光ビームＬ１は、検査領域１１３における入射角θｃｒｉｔ＋δに代わって、θｃｒｉｔ＋β＋δの角度で参照領域１２０に効果的に到達する。参照エレメント１２１の屈折率ｎＴＷＲに関する制約は、ほぼ、
0005701778.tif 000003
に緩和される。ここで、ｎ２は、媒体４の期待される屈折率であり、ｎ１は、担体１１０の材料の屈折率である。一般に、このような緩和された条件下で、参照エレメント１２１のための適切な材料を見つけることは、より容易である。
【００６５】
図１２は、解析装置１０の一実施形態の側面図を概略的及び例示的に示している。検知装置１００が、解析装置１０に挿入されている。検知装置１００は、本実施形態において、検知表面１１２をその上に有する担体１１０を有する。更に、流体デリミタ１０１が、担体１１０上に位置付けられている。上部流体部分１４は、検知表面１１２、流体デリミタ１０１及び上部流体部分１４の間の測定チャンバを完成させる。
【００６６】
解析装置１０は、磁性粒子２を検知装置の検知表面１１２上に押しやるための磁界を提供する磁気素子１３を更に有する。本実施形態において、磁性粒子２は、光源１１によって生成される光ビームＬ１により検知表面１１２を照明することによって、検出される。光源１１は、例えばレーザ装置、ＳＬＥＤ又はＬＥＤである。検知表面１１２から反射された光Ｌ２は、検出器１８によって検出される。検出器１８は、例えば光検出器又は２次元カメラである。光学素子が、平行光ビームＬ１及びＬ２をそれぞれ生成するために、光ビームＬ１及びＬ２経路に配置されることができる。このような光学素子は、好適にはレンズである。
【００６７】
担体１１０が、解析領域に収容される。解析領域において、両方の入射光Ｌ１が、参照領域１２０及び検査領域１１３に向けられることができ、それにより、内部全反射下で反射された光が、検出器１８によって検出されることができる。更に、解析領域において、磁気素子１３によって生成される磁界は、磁性粒子２を検知表面１１２上に押しやることができる。
【００６８】
検知表面１１２は更に、参照領域１２０及び検査領域１１３を有する。両方とも図示されていない。検知表面１１２の参照領域１２０及び検査領域１１３に到達する入射光Ｌ１は、内部全反射条件下で反射されて、光ビームＬ２になる。しかしながら、検査領域１１３において、このような内部反射は、漏れ内部全反射条件でありうる。すなわち、検査領域１１３に磁性粒子２が移動すると、入射光ビームＬ１によりそこに存在するエバネセント光が、散乱され、吸収され、その結果、検査領域１１３から反射された光Ｌ２の強度の変化をもたらす。この変化は、上述したように検出器１８によって検出されることができる。
【００６９】
検出器１８は、２つの特徴的な信号２１３、２２０を生成する。検査領域１１３において内部全反射条件下で反射された光の強度は、第１の特徴的な信号２１３として生成され、参照領域１２０において内部全反射条件下で反射された光の強度は、第２の特徴的な信号２２０として生成される。較正器２０は、第１の特徴的な信号２１３及び第２の特徴的な信号２２０を比較して、補正された結果を与える。比較の結果は、表示装置２１によって表示される。
【００７０】
図１３は、検知装置の検査領域１１３に結合される磁気ビーズを概略的及び例示的に示している。検知表面１１２の検査領域１１３は、抗体１１４でコーティングされる。抗体１１４は、アナライト２'に結合することができる。更に、磁気ビーズ２は、アナライト２'と結合するために抗体でコーティングされる。媒体４にアナライト２'を付加すると、アナライト２'は、抗体１１４と磁気ビーズ２の間にサンドイッチされ、ゆえに、磁気ビーズ２を検査領域１１３に効果的に結合させる。磁気ビーズ２は、例えば図１２を参照して記述されたように、検査領域１１３において反射される光に影響を与えることができる。磁気ビーズは、３ｎｍ乃至１００００ｎｍのレンジ、好適には１０ｎｍ乃至３０００ｎｍレンジ、より好適には２００ｎｍ乃至１０００ｎｍのレンジにある少なくとも１つの寸法を有する粒子である。
【００７１】
図１４は、本発明の方法を概略的及び例示的に示している。ステップ４０１において、検査領域１１３及び参照領域１２０を有する検知表面１１２が準備される。参照エレメント１２１は、内部全反射条件下で参照領域１２０において反射された光が、ターゲット物質２及び該当する場合アナライトを含む媒体４のターゲット物質２又は着色された微粒子の有無によって影響されないままであるように、参照領域１２０をシールドするように、参照領域１２０に位置付けられる。参照領域１２０にこのような参照エレメント１２１を設けることは、或る実施形態において、独立した方法ステップとして実施されることができる。
【００７２】
ステップ４０１の後、検査領域１１３及び参照領域１２０は、ステップ４０２において、内部全反射条件下で照明される。検出器１８は、内部全反射条件下で検査領域１１３（ステップ４０３）及び参照領域１２０（ステップ４０４）から反射された光を検出する。ステップ４０３及び４０４は、例えばＣＣＤ検出器を使用して、同時に実施されることができる。検査領域１１３から反射された光に依存する第１の特徴的な信号２１３が、検出器１８から取得される。参照領域１２０から反射された光に依存する第２の特徴的な信号２２０が、検出器１８から取得される。
【００７３】
更なるステップ４１０において、第１及び第２の特徴的な信号の２１３、２２０が、較正器２０によって読み取られる。較正器２０は、第２の特徴的な信号２２０を考慮して、第１の特徴的な信号２１３を較正する。較正された第１の特徴的な信号２１３は、較正器２０によって出力される。
【００７４】
上述した実施形態において、媒体４は、好適には血液であった。他の実施形態において、流体は、任意の他の流体でありえ、特に任意の他の身体流体、例えば唾液又は尿でありうる。検知及び解析装置１０の好適なアプリケーションは、特にフィンガープリック血液サンプル及び唾液サンプルに基づく、ポイントオブケア診断、及び薬剤の検出、又は心臓発作の発生の検出の分野である。
【００７５】
本発明の装置、方法及びシステムは、センサ多重化（すなわちさまざまな異なるセンサ及びセンサ表面の平行使用）、標識多重化（すなわちさまざまな異なるタイプの標識のターゲット物質２としての平行使用）及びチャンバ多重化（すなわち異なる反応チャンバの平行使用）に適している。
【００７６】
本発明において記述される装置及び方法は、小さいサンプルボリュームについてポイントオブケアバイオセンサを使用するために迅速で、ロバストで、容易なものとして使用されることができる。担体は、１又は複数の磁界生成手段及び１又は複数の検出手段を有するコンパクトなリーダと共に使用されるべき使い捨て可能なアイテムでありうる。更に、本発明の装置及び方法は、自動化された高スループットテスティングにおいて使用されることができる。この場合、担体は、自動化された器具に収まる例えばウェルプレート又はキュベットタイプの担体である。
【００７７】
上述の実施形態において、装置は、検知表面１１２の検査領域１１３上の磁性粒子の量を決定するためにエバネセント場技法を使用する。他の実施形態において、他の物質が検出されることもできる。分子アッセイに加えて、例えば細胞、ウイルス、細胞又はウイルスの断片、組織抽出物等のようなより大きいモイエティが、検出されることもできる。
【００７８】
特に、実施形態は、図１３に説明したように、サンドイッチアッセイに関して記述された。しかしながら、例えば結合／非結合アッセイ、サンドイッチアッセイ、競合アッセイ、変位アッセイ、酵素アッセイ等の他のアッセイタイプが、用いられることもできる。
【００７９】
ターゲット物質２は、磁気ビーズを使用することなく、検査領域１１３上のその存在によって直接解析されることもできる。これは、特に検査領域１１３上のエバネセント場の光を吸収し又は散乱する高い能力を有するターゲット物質２の場合に好ましい。それに加えて又はその代替として、ターゲット物質２は、検出前に更に処理されることもできる。更なる処理の例は、更なる材料が加えられることであり、又はターゲット物質２の（生物）化学又は物理特性が、検出を容易にするように変更されることである。ターゲット物質２は、例えば、検査領域１１３上のエバネセント場の光を吸収し又は散乱するその能力を変更するように、反応物と反応されることができる。特に、ターゲット物質２は、検査領域１１３のエバネセント場に影響を与えるように、光吸収又は散乱物質に共有結合されることができる。
【００８０】
検出は、特に参照領域１２０及び／又は検査領域１１３のような検知表面１１２に対するセンサ素子のスキャニングの有無にかかわらず、行われることができる。
【００８１】
上述の実施形態において、参照エレメント１２１は、入射光に対しトランスペアレントであるが内部全反射条件下で反射をもたらすように選択されたエレメントとして記述されている。しかしながら、参照エレメント１２１は、入射光を反射するために、真のミラー１２１、好適には金属層、であってもよい。これは、検知表面材料の屈折率及び入射光に対して十分な屈折率を有する材料を、参照エレメント１２１の製造のために選択する必要をなくす。
【００８２】
開示された実施形態に対する他の変更は、図面、開示及び添付の請求項の検討から、当業者によって請求項に記載の本発明を実行する際に理解され実現されることができる。
【００８３】
請求項において、「含む、有する」という語は、他の構成要素又はステップを除外せず、不定冠詞「a」及び「an」は、複数性を除外しない。
【００８４】
単一のユニット又は装置が、請求項に列挙されるいくつかのアイテムの機能を果たすことができる。特定の手段が相互に異なる従属請求項に列挙されているという単なる事実は、これらの手段の組み合わせが有利に使用されることができないことを示さない。
【００８５】
請求項における任意の参照符号は、請求項の範囲を制限するものとして解釈されるべきでない。図面及び実施形態は、請求項の範囲を制限するものとして解釈されるべきでない。
【図１】
0005701778.tif 000004
【図２】
0005701778.tif 000005
【図３】
0005701778.tif 000006
【図４】
0005701778.tif 000007
【図５】
0005701778.tif 000008
【図６】
0005701778.tif 000009
【図７】
0005701778.tif 000010
【図８】
0005701778.tif 000011
【図９】
0005701778.tif 000012
【図１０】
0005701778.tif 000013
【図１１】
0005701778.tif 000014
【図１２】
0005701778.tif 000015
【図１３】
0005701778.tif 000016
【図１４】
0005701778.tif 000017